(57)【要約】【課題】浴室ドアが折れ戸または引き戸であった場合でも、浴室利用後の使用者が浴室内からタオルを取ることができるタオルハンガーを提供する。【解決手段】タオルハンガーは、浴室外で、且つ、折れ戸または引き戸である浴室ドアの近傍に取り付けられる。タオルハンガーは、浴室ドアの左方または右方にある部材に接続される基端部を有する接続部と、接続部より浴室ドアに近い位置に配置されるタオル保持部と、を有する。タオル保持部は、浴室ドアを支持するドア枠より左右方向における内側に位置するように構成されている。【選択図】図１
2020110348.tif 000002
【特許請求の範囲】
【請求項１】
浴室外で、且つ、折れ戸または引き戸である浴室ドアの近傍に取り付けられるタオルハンガーであって、
前記タオルハンガーは、
前記浴室ドアの左方または右方にある部材に接続される基端部を有する接続部と、
前記接続部より前記浴室ドアに近い位置に配置されるタオル保持部と、
を有し、
前記タオル保持部は、前記浴室ドアを支持するドア枠より左右方向における内側に位置するように構成されていることを特徴とするタオルハンガー。
【請求項２】
前記タオルハンガーは、前記接続部の前記基端部を軸にして、前記浴室ドアから離れる方向へ回動可能であることを特徴とする請求項１記載のタオルハンガー。
【請求項３】
前記タオルハンガーは、前記接続部の前記基端部を軸にして、上下方向に回動可能であることを特徴とする請求項１記載のタオルハンガー。
【請求項４】
前記浴室ドアは折れ戸であり、
前記接続部の前記基端部は、前記浴室ドアの軸支部が接続されていないドア枠よりも、前記浴室ドアの前記軸支部が接続されたドア枠に近い位置に接続されていることを特徴とする請求項２または３に記載のタオルハンガー。
【請求項５】
前記浴室ドアは引き戸であり、
前記接続部の前記基端部は、戸先側のドア枠よりも、戸袋側のドア枠に近い位置に接続されていることを特徴とする請求項２または３に記載のタオルハンガー。
【請求項６】
前記浴室ドアは折れ戸であり、
前記接続部の前記基端部は、前記浴室ドアの軸支部が接続されていないドア枠よりも、前記浴室ドアの前記軸支部が接続されたドア枠に近い位置に接続されており、
前記接続部の前記基端部から前記タオル保持部の先端までの左右方向における長さは、前記ドア枠の左右方向の長さより短いことを特徴とする請求項１記載のタオルハンガー。
【請求項７】
前記浴室ドアは引き戸であり、
前記接続部の前記基端部は、戸先側のドア枠よりも、戸袋側のドア枠に近い位置に接続されており、
前記接続部の前記基端部から前記タオル保持部の先端までの左右方向における長さは、前記ドア枠の左右方向の長さより短いことを特徴とする請求項１記載のタオルハンガー。
【発明の詳細な説明】
【技術分野】
【０００１】
本発明は、タオルハンガーに関する。
【背景技術】
【０００２】
浴室利用後の使用者が身体を拭くためのタオルを掛けるためのタオルハンガーは知られている。浴室利用後の使用者が身体を拭くためのタオルは、身体が濡れた使用者が浴室外の空間を濡らしてしまうことを防ぐために、浴室内から取れることが好ましい。したがって、このようなタオルハンガーにおいては、例えば、浴室ドアの浴室外側の面に設けられていることが一般的である。すなわち、使用者は、浴室利用後に、浴室ドアを開くことで、浴室ドアの浴室外側の面に設けられているタオルハンガーに掛けてあるタオルを取り、身体を拭くものである。
【先行技術文献】
【特許文献】
【０００３】
【特許文献１】特開２００５−２１１２２０号公報
【発明の概要】
【発明が解決しようとする課題】
【０００４】
しかしながら、浴室ドアが折れ戸または引き戸であった場合、浴室ドアの浴室外側の面は、ドアが開状態の際に隠れてしまうため、使用者は、浴室利用後に、タオルハンガーに掛けてあるタオルを取ることは困難である。
【０００５】
そこで、本発明は、浴室ドアが折れ戸または引き戸であった場合でも、浴室利用後の使用者が浴室内からタオルを取ることができるタオルハンガーを提供する。
【課題を解決するための手段】
【０００６】
第１の発明のタオルハンガーは、浴室外で、且つ、折れ戸または引き戸である浴室ドアの近傍に取り付けられるタオルハンガーであって、前記タオルハンガーは、前記浴室ドアの左方または右方にある部材に接続される基端部を有する接続部と、前記接続部より前記浴室ドアに近い位置に配置されるタオル保持部と、を有し、前記タオル保持部は、前記浴室ドアを支持するドア枠より左右方向における内側に位置するように構成されていることを特徴とする。
第１の発明によれば、タオルハンガーは、浴室ドアの開閉に際して動かない部分である側枠部材に接続されている。タオルハンガーは、折れ戸または引き戸である浴室ドアが開状態で隠れない。そのため、浴室ドアが折れ戸または引き戸であった場合でも、使用者は、浴室利用後に浴室内から、タオルハンガーのタオル保持部に掛けてあるタオルを取ることができる。
第２の発明は、第１の発明において、前記タオルハンガーは、前記接続部の前記基端部を軸にして、前記浴室ドアから離れる方向へ回動可能であることを特徴とする。
第２の発明によれば、タオルハンガーは、接続部の基端部を軸にして浴室ドアから離れる方向へ回動可能であるため、浴室内へ入出する際に、タオルハンガーが邪魔になりにくい。
第３の発明は、第１の発明において、前記タオルハンガーは、前記接続部の前記基端部を軸にして、上下方向に回動可能であることを特徴とする。
第３の発明によれば、タオルハンガーは、接続部の基端部を軸にして、上下方向に回動可能であるため、タオルハンガーが浴室の出入り口に重ならないように（または出入り口に重なる部分を減らすように）タオルハンガーを退避でき、浴室内へ入出する際に、タオルハンガーが邪魔になりにくい。
第４の発明は、第２または第３の発明において、前記浴室ドアは折れ戸であり、前記接続部の前記基端部は、前記浴室ドアの軸支部が接続されていないドア枠よりも、前記浴室ドアの前記軸支部が接続されたドア枠に近い位置に接続されていることを特徴とする。
第４の発明によれば、タオルハンガーの接続部の基端部は、折れ戸である浴室ドアの軸支部が接続されていないドア枠よりも、浴室ドアの軸支部が接続されたドア枠に近い位置に接続されているため、タオルハンガーを少ない回動距離で退避させて、浴室内へ入出するための通路幅を確保できる。
第５の発明は、第２または第３の発明において、前記浴室ドアは引き戸であり、前記接続部の前記基端部は、戸先側のドア枠よりも、戸袋側のドア枠に近い位置に接続されていることを特徴とする。
第５の発明によれば、浴室ドアが引き戸の場合には、タオルハンガーの接続部の基端部を、戸先側のドア枠よりも、戸袋側のドア枠に近い位置に接続することで、タオルハンガーを少ない回動距離で退避させて、浴室内へ入出するための通路幅を確保できる。
第６の発明は、第１の発明において、前記浴室ドアは折れ戸であり、前記接続部の前記基端部は、前記浴室ドアの軸支部が接続されていないドア枠よりも、前記浴室ドアの前記軸支部が接続されたドア枠に近い位置に接続されており、前記接続部の前記基端部から前記タオル保持部の先端までの左右方向における長さは、前記ドア枠の左右方向の長さより短いことを特徴とする。
第６の発明によれば、タオルハンガーを少ない回動距離で退避させて、浴室内へ入出するための通路幅を確保でき、さらに、浴室内へ入出する際にタオルハンガーが邪魔になりにくい。
第７の発明は、第１の発明において、前記浴室ドアは引き戸であり、前記接続部の前記基端部は、戸先側のドア枠よりも、戸袋側のドア枠に近い位置に接続されており、前記接続部の前記基端部から前記タオル保持部の先端までの左右方向における長さは、前記ドア枠の左右方向の長さより短いことを特徴とする。
第７の発明によれば、タオルハンガーを少ない回動距離で退避させて、浴室内へ入出するための通路幅を確保でき、さらに、浴室内へ入出する際にタオルハンガーが邪魔になりにくい。
【発明の効果】
【０００７】
本発明によれば、浴室ドアが折れ戸または引き戸であった場合でも、浴室利用後の使用者が浴室内からタオルを取ることができるタオルハンガーを提供できる。
【図面の簡単な説明】
【０００８】
【図１】本発明の一実施形態のタオルハンガー付き建具の斜視図。
【図２】本発明の一実施形態のタオルハンガー付き建具の横断面図。
【図３】本発明の一実施形態のタオルハンガー付き建具の横断面図。
【発明を実施するための形態】
【０００９】
以下、添付図面を参照しながら本発明の実施の形態について説明する。説明の理解を容易にするため、各図面において同一の構成要素に対しては可能な限り同一の符号を付して、重複する説明は省略する。
【００１０】
図１は、本発明の一実施形態のタオルハンガー付き建具１の斜視図である。
【００１１】
タオルハンガー付き建具１は、浴室の内外（浴室と、例えば洗面室または脱衣室との間）を仕切る。図１は、浴室外からタオルハンガー付き建具１を見た斜視図である。
【００１２】
タオルハンガー付き建具１は、浴室ドア２０とタオルハンガー５０とを有する。浴室ドア２０の上方、左方、および右方には建材側の部材である接続枠７０が設けられている。接続枠７０は、浴室ドア２０の左方に設けられた側枠部材７１と、浴室ドア２０の右方に設けられた側枠部材７２とを有する。
【００１３】
浴室ドア２０と接続枠７０との間にはドア枠１０が設けられている。浴室ドア２０は、ドア枠１０に支持されている。ドア枠１０は、浴室ドア２０の上方に設けられた上枠１１と、浴室ドア２０の左方に設けられた側枠１２と、浴室ドア２０の右方に設けられた側枠１３（図２に示す）とを有する。ドア枠１０の側枠１２は、接続枠７０の側枠部材７１に接続されている。ドア枠１０の側枠１３は、接続枠７０の側枠部材７２に接続されている。
【００１４】
浴室ドア２０は、折れ戸または引き戸である。図１には、折れ戸である浴室ドア２０を示す。浴室ドア２０は、２枚の障子２１ａ、２１ｂと、２枚の障子２１ａ、２１ｂを接続するヒンジ部２２と、一方の障子２１ａに設けられた開放側端部２３と、他方の障子２１ｂに設けられた軸支部２４（図２に示す）とを有する。軸支部２４は、側枠１３に接続されている。
【００１５】
軸支部２４を支点にして、ヒンジ部２２が浴室内に入り込むように２枚の障子２１ａ、２１ｂが折れることで浴室ドア２０が開かれる。開放側端部２３が設けられた障子２１ａにおける浴室外側の面には取っ手２５が設けられている。
【００１６】
または、浴室ドア２０は、障子が水平方向に移動することで開閉される引き戸であってもよい。
【００１７】
タオルハンガー５０は、浴室ドア２０の近傍に取り付けられている。
【００１８】
図２は、タオルハンガー付き建具１の水平方向に沿った横断面図である。図２において、折れ戸である浴室ドア２０が少し開いた状態の位置を模式的に２点鎖線で表している。
【００１９】
タオルハンガー５０は、側枠部材７２に接続される基端部３１を有する接続部３０と、タオル保持部４０とを有する。接続部３０の基端部３１は、浴室外２００から見て浴室ドア２０の右方にある側枠部材７２に接続されている。または、接続部３０の基端部３１は、浴室外２００から見て浴室ドア２０の左方にある側枠部材７１に接続されてもよい。
【００２０】
タオル保持部４０は、接続部３０より浴室ドア２０に近い位置に配置されている。すなわち、接続部３０はドア枠１０の側枠１３の前方に位置するのに対して、タオル保持部４０は浴室ドア２０の前方に位置する。タオル保持部４０は、ドア枠１０よりも左右方向における内側に位置するように構成されている。
【００２１】
タオル保持部４０は接続部３０から例えば水平に延在し、タオル保持部４０と浴室ドア２０との間に空隙が形成されている。接続部３０の基端部３１からタオル保持部４０の先端までの左右方向における長さＬ１は、ドア枠１０の左右方向の長さ（側枠１２と側枠１３との間の距離）Ｌ２より短い。
【００２２】
ドア枠１０における一対の側枠１２、１３のうちの一方の側枠１３には浴室内１００を換気する通気口６０が形成され、その側枠１３の横方向の幅は、他方の側枠１２の横方向の幅よりも大きい。通気口６０は、浴室内１００と浴室外２００に通じている。側枠１３の浴室外側の面の前方に、タオルハンガー５０の接続部３０が位置する。
【００２３】
浴室ドア２０の軸支部２４は、ドア枠１０における一対の側枠１２、１３のうちの一方の側枠１３に接続され、他方の側枠１２には接続されていない。タオルハンガー５０の接続部３０の基端部３１は、浴室ドア２０の軸支部２４が接続されていない側枠１２よりも、浴室ドア２０の軸支部２４が接続された側枠１３に近い位置に接続されている。
【００２４】
浴室ドア２０が引き戸である場合には、タオルハンガー５０の接続部３０の基端部３１は、戸先側のドア枠（側枠）よりも、戸袋側のドア枠（側枠）に近い位置に接続される。
【００２５】
図３に示すように、タオルハンガー５０は、接続部３０の基端部３１を軸にして、浴室ドア２０から離れる方向へ回動可能である。または、タオルハンガー５０のタオル保持部４０は、接続部３０の基端部３１を軸にして、図１において２点鎖線で示すように、上下方向に回動可能である。
【００２６】
以上説明した実施形態によれば、タオルハンガー５０は、浴室ドア２０の開閉に際して動かない部分である側枠部材７２に接続されている。タオルハンガー５０は、折れ戸または引き戸である浴室ドア２０が開状態で隠れない。そのため、浴室ドア２０が折れ戸または引き戸であった場合でも、使用者は、浴室利用後に浴室内から、タオルハンガー５０のタオル保持部４０に掛けてあるタオルを取ることができる。
【００２７】
タオルハンガー５０は、接続部３０の基端部３１を軸にして浴室ドア２０から離れる方向へ回動可能であるため、浴室内１００へ入出する際に、タオルハンガー５０が邪魔になりにくい。
【００２８】
または、タオルハンガー５０のタオル保持部４０は、接続部３０の基端部３１を軸にして、上下方向に回動可能であるため、タオルハンガー５０が浴室の出入り口に重ならないように（または出入り口に重なる部分を減らすように）タオルハンガー５０を退避でき、浴室内１００へ入出する際に、タオルハンガー５０が邪魔になりにくい。
【００２９】
また、回動可能に設けられたタオルハンガー５０において、その接続部３０の基端部３１は、浴室ドア２０の軸支部２４が接続されていない側枠１２よりも、浴室ドア２０の軸支部２４が接続された側枠１３に近い位置に接続されているため、タオルハンガー５０を少ない回動距離で退避させて、浴室内１００へ入出するための通路幅を確保できる。
【００３０】
浴室ドア２０が引き戸の場合には、回動可能に設けられたタオルハンガー５０の接続部３０の基端部３１を、戸先側のドア枠（側枠）よりも、戸袋側のドア枠（側枠）に近い位置に接続することで、タオルハンガー５０を少ない回動距離で退避させて、浴室内１００へ入出するための通路幅を確保できる。
【００３１】
また、タオルハンガー５０の接続部３０の基端部３１からタオル保持部４０の先端までの左右方向における長さＬ１は、ドア枠１０の左右方向の長さＬ２より短いため、浴室内１００へ入出する際にタオルハンガー５０が邪魔になりにくい。
【００３２】
以上、具体例を参照しつつ本発明の実施形態について説明した。しかし、本発明は、それらに限定されるものではなく、本発明の技術的思想に基づいて種々の変形が可能である。
【符号の説明】
【００３３】
１…タオルハンガー付き建具、１０…ドア枠、１２,１３…側枠、２０…浴室ドア、３０…接続部、３１…基端部、４０…タオル保持部、５０…タオルハンガー、７０…接続枠、７１,７２…側枠部材
【図１】
2020110348.tif 000003
【図２】
2020110348.tif 000004
【図３】
2020110348.tif 000005